(57)【特許請求の範囲】
【請求項１】
電源の投入及び切断時に音声信号をミュートするミュート回路を有する電子装置において、
前記ミュート回路による前記音声信号のミュートを検出するミュート検出手段と、
前記ミュート検出手段により前記音声信号のミュートを検出したとき、リセット信号を出力するリセット信号生成回路とを有することを特徴とする電子装置。
【請求項２】
前記リセット信号によりリセットされる回路に供給する電源を安定化する第１の電源安定化回路と、
前記第１の電源安定化回路での電圧を検出する第１の電圧検出手段とを有し、
前記ミュート回路は、前記第１の電圧検出手段の検出結果、前記第１の電源安定化回路の電圧が所定電圧以下のときに、前記音声信号をミュートすることを特徴とする請求項１記載の電子装置。
【請求項３】
他の回路への駆動電源を安定化する第２の安定化電源回路と、
前記第２の電源安定化回路での電圧を検出する第２の電圧検出手段とを有し、
前記ミュート回路は、前記第２の電圧検出手段での電圧検出結果、前記第２の電源安定化回路の電圧が所定の電圧以下のときに、前記音声信号をミュートすることを特徴とする請求項１又は２記載の電子装置。
【請求項４】
前記リセット信号によるリセット時間を制御するリセット時間制御回路を有することを特徴とする請求項１〜３のいずれか一項記載の電子装置。
【発明の詳細な説明】
【０００１】
【発明の属する技術分野】
本発明は電子装置に係り、特に、ミュート回路とパワーオンリセット回路とを有する電子装置に関する。
【０００２】
【従来の技術】
図４にミュート回路とパワーオンリセット回路とを含む電子装置の要部のブロック図を示す。
【０００３】
電子装置１は、電源供給回路３、駆動電源生成回路４、オーディオ回路５、ミュート回路６、マイコン電源生成回路７、パワーオンリセット回路８、マイコン９から構成される。
【０００４】
電源供給回路３は、装置１を駆動するための電源を供給する。駆動電源生成回路４は、電源供給回路３から供給された電源から電子装置１に内蔵されるオーディオ回路５などを駆動するための電源を生成する。オーディオ回路５は、音声信号にイコライジングなどの各種音声処理を行ない、出力する。
【０００５】
オーディオ回路５の出力音声信号は、ミュート回路６を介して出力される。ミュート回路６は、電源供給回路３からの電源の供給、切断を検出して、オーディオ回路５からの出力音声信号にミュートをかける。
【０００６】
マイコン電源生成回路７は、マイコン９を駆動するための電源を生成する。マイコン電源生成回路７で生成された電源は、パワーオンリセット回路８及びマイコン９に供給される。パワーオンセット回路８は、マイコン電源生成回路７からの電源電圧に応じてマイコン９にリセットをかける。マイコン９は、パワーオンリセット回路８からのリセット信号に応じてリセットされる。マイコン９は、操作者からの操作に応じて電子機器１の動作を制御する。
【０００７】
図５に従来の電子装置の一例の要部の回路構成図を示す。同図中、図４と同一構成部分には同一符号を付し、その説明は省略する。
【０００８】
駆動電源生成回路４は、ダイオードＤ１、Ｄ２、コンデンサＣ１、安定化電源回路１１から構成される。電源供給回路３からの電源は、ダイオードＤ１、Ｄ２により整流される。ダイオードＤ１、Ｄ２により整流された電源は、コンデンサＣ１により平滑化される。コンデンサＣ１により平滑化された電源は、安定化電源回路１１に供給される。安定化電源回路１１は、ダイオードＤ１、Ｄ２及びコンデンサＣ１により整流平滑化された電源を所定の電源電圧に安定化して出力する。安定化電源回路１１の出力電圧は、電子装置１の各部に駆動電源として供給される。マイコン電源生成回路７は、ダイオードブリッジ１２、コンデンサＣ２、安定化電源回路１３から構成される。ダイオードブリッジ１２は、電源供給回路３からの電源を全波整流する。ダイオードブリッジ１２で整流された電圧は、コンデンサＣ２により平滑化される。コンデンサＣ２で平滑化された電圧は、安定化電源回路１３に供給される。安定化電源回路１３は、ダイオードブリッジ１２及びコンデンサＣ２により整流、平滑化された電圧が所定の電圧以上のとき、一定の電圧、略５〔Ｖ〕の電圧を出力し、ダイオードブリッジ１２及びコンデンサＣ２により整流、平滑化された電圧が所定の電圧以下のとき、出力が不定となる。
【０００９】
安定化電源回路１３の出力電圧は、マイコン９の駆動電圧として用いられるとともに、パワーオンリセット回路８に供給される。
【００１０】
パワーオンリセット回路８は、コンデンサＣ３、ダイオードＤ３、抵抗Ｒ４〜Ｒ６、トランジスタＱ１から構成される。安定化電源回路１３の出力電圧が立ち上がると、コンデンサＣ３は充電される。コンデンサＣ３により充電される電流は、抵抗Ｒ１、Ｒ２及びトランジスタＱ１のベースに供給される。トランジスタＱ１は、ベースに電流が流れることにより、オンする。トランジスタＱ１がオンすることにより、トランジスタＱ１のコレクタ（Ｔｒｅｓｅｔ）はローレベルになる。コンデンサＣ３の充電が終わりに近くなると、トランジスタＱ１のベース電流が小さくなり、トランジスタＱ１がオフする。トランジスタＱ１がオフすることにより、トランジスタＱ１のコレクタ（Ｔｒｅｓｅｔ）はハイレベルになる。
【００１１】
トランジスタＱ１は、ＮＰＮトランジスタから構成され、ベースが抵抗Ｒ１と抵抗Ｒ２との接続点に接続され、コレクタが抵抗Ｒ３を介して安定化電源回路１３の出力に接続され、エミッタは接地される。トランジスタＱ１は、抵抗Ｒ１と抵抗Ｒ２との接続点がベース・エミッタ間のジャンクション電圧より高くなるとオンし、低くなるとオフする。
【００１２】
トランジスタＱ１のコレクタと抵抗Ｒ３との接続点が出力端子として用いられる。トランジスタＱ１は、安定化電源回路１３の出力が立ち上がったとき、オンする。トランジスタＱ１のコレクタは、抵抗Ｒ３を介してマイコン電源供給端子Ｔｖ１に接続されるとともに、マイコンリセット端子Ｔｒｅｓｅｔに供給されている。このため、トランジスタＱ１がオンすることによりマイコンリセット端子Ｔｒｅｓｅｔがローレベルになる。マイコンリセット端子Ｔｒｅｓｅｔはマイコン９のリセット端子に接続されており、マイコンリセット端子Ｔｒｅｓｅｔがローレベルになることによりマイコン９がリセットされる。
【００１３】
ミュート回路５は、ダイオードＤ４〜Ｄ７、ツェナーダイオードＤ８、ＰＮＰトランジスタＱ２、ＮＰＮトランジスタＱ３、コンデンサＣ４〜Ｃ６、抵抗Ｒ４〜Ｒ１０から構成される。ミュート回路５は、駆動電源生成回路４に電源供給回路３から供給される電圧を検出して、電源のオン／オフ時にオーディオ信号にミュートをかける。
【００１４】
電源供給回路３から電源が供給されると、コンデンサＣ６が充電されている間トランジスタＱ２がオンされる。トランジスタＱ２がオンされると、トランジスタＱ３がオンする。トランジスタＱ３は、コレクタがオーディオ信号端子Ｔａｕに接続され、エミッタがオーディオ接地端子Ｔａｕｇｎｄに接続されている。このため、トランジスタＱ３がオンすることによりオーディオ信号がオーディオ信号端子Ｔａｕからオーディオ接地端子Ｔａｕｇｎｄに流れてオーディオ信号がミュートされる。
【００１５】
また、電源供給回路３からの電源がオフされると、コンデンサＣ６が放電されることにより、トランジスタＱ２のベース−エミッタ間電圧がオン電圧になり、トランジスタＱ２がオンする。トランジスタＱ２がオンすることにより、コンデンサＣ５に充電された電荷がトランジスタＱ３のベースに流れ、トランジスタＱ３がオンし、オーディオ信号がオーディオ信号端子Ｔａｕからオーディオ接地端子Ｔａｕｇｎｄに流れてオーディオ信号がミュートされる。ツェナーダイオードＤ８は、電源供給回路３の電圧が変化したときにトランジスタＱ２が誤動作しないようにしている。
【００１６】
以上により、マイコン９がリセットされるとともに、オーディオ信号がミュートされる。
【００１７】
なお、図５に示される電子装置では、電源オン時にはマイコン９をリセットできるが、電源オフ時にはマイコン９をリセットすることはできない。
【００１８】
図６に従来の他の一例の回路構成図を示す。同図中、図５と同一構成部分には同一符号を付し、その説明は省略する。
【００１９】
リセット回路２１は、リセットＩＣ２２、トランジスタＱ１１、Ｑ１２、コンデンサＣ１１、抵抗Ｒ１１〜Ｒ１５から構成される。
【００２０】
リセットＩＣ２２は、入力電圧が所定電圧以下のときに出力がローレベルとなり、所定電圧以上のときの出力がハイレベルになる。このため、マイコン電源生成回路７からの電圧が所定電圧以下のときには、リセットＩＣ２２の出力はローレベルであるため、トランジスタＱ１１はオフとなる。トランジスタＱ１１がオフのときには、トランジスタＱ１２はオンする。トランジスタＱ１２がオンすると、リセット端子Ｔｒｅｓｅｔは、ローレベルになる。
【００２１】
また、マイコン電源生成回路７からの電圧が所定電圧以上になると、リセットＩＣ２２の出力はハイレベルになるため、トランジスタＱ１１はオンする。トランジスＱ１１がオンすると、トランジスタＱ１２はオフする。トランジスタＱ１２がオフすると、リセット端子Ｔｒｅｓｅｔは、ハイレベルになる。
【００２２】
【発明が解決しようとする課題】
しかるに、従来の図５に示したリセット回路は、電源投入時にリセット信号を供給するもので、電源切断時にはリセットをかけることはできなかった。
【００２３】
また、図６に示したリセット回路では、電源投入、切断時の両方で、リセットをかけることができるが、リセット回路にリセットＩＣを用いる必要があるので、回路構成が複雑になり、回路が高価になるなどの問題点があった。
【００２４】
本発明は上記の点に鑑みてなされたもので、簡単な構成でミュート及びマイコンのリセットがかけられる電子装置を提供することを目的とする。
【００２５】
【課題を解決するための手段】
本発明の請求項１は、ミュート回路による音声信号のミュートを検出し、音声信号のミュートを検出したとき、リセット信号を出力するようにする。
【００２６】
また、請求項２は、リセット信号によりリセットされる回路に供給する電源を安定化する第１の電源安定化回路での電圧を検出し、第１の電源安定化回路の電圧が所定の電圧以下のときに、ミュート回路を制御し、音声信号をミュートし、その結果、リセット信号を出力するようにする。
【００２７】
さらに、請求項３は、他の回路への駆動電源を安定化する第２の安定化電源回路での電圧を検出し、前記第２の電圧検出手段での電圧検出結果、第２の電源安定化回路の電圧が所定の電圧以下のときに、ミュート回路を制御し、音声信号をミュートし、その結果リセット信号を出力するようにする。
【００２８】
請求項４は、リセット信号によるリセット時間を制御するリセット時間制御回路を設けてなる。
【００２９】
本発明によれば、ミュート回路による音声信号のミュートを検出し、音声信号のミュートを検出したとき、リセット信号を出力するため、リセット信号生成回路で電源の上昇、低下を検出する必要がないので、回路構成を簡単にできる。
【００３０】
また、本発明によれば、リセット信号によりリセットされる回路に供給する電源を安定化する第１の電源安定化回路での電圧を検出し、第１の電源安定化回路の電圧が所定の電圧以下のときに、音声がミュートされ、リセット信号を出力することができるため、リセット信号によりリセットされる回路に供給する電源電圧によりリセットをかけることができる。
【００３１】
さらに、本発明によれば、他の回路への駆動電源を安定化する第２の安定化電源回路での電圧を検出し、第２の電圧検出手段での電圧検出結果、第２の電源安定化回路の電圧が所定の電圧以下のときに、ミュート回路を制御し、音声信号をミュートし、その結果リセット信号を出力することにより、他の回路への駆動電圧の低下などによりリセットをかけることができる。
【００３２】
また、本発明によれば、リセット信号によるリセット時間を制御することにより、マイコンなどに確実にリセットをかけることができる。
【００３３】
【発明の実施の形態】
図１に本発明の第１実施例のブロック構成図を示す。同図中、図４と同一構成部分には同一符号を付し、その説明は省略する。
【００３４】
電源がオンになり、電源供給回路３からマイコン電源生成回路７、駆動電源生成回路４、ミュート回路５に電源供給が行なわれると、ミュート回路５は、オーディオ信号をミュートする。また、ミュート回路５でオーディオ信号がミュートされると、リセット回路１０１にリセット信号送出を指示する。リセット回路１０１は、ミュート回路５からのリセット信号送出指示に応じてマイコン９にリセット信号を送出する。
【００３５】
また、ミュート回路５は、駆動電源生成回路４に接続されており、駆動電源生成回路４への入力電圧を監視し、入力電圧の電圧降下が発生したときに、オーディオ信号をミュートする。このとき、ミュート回路５は、リセット回路１０１にリセット信号送出を指示する。リセット回路１０１は、マイコン９にリセット信号を供給して、マイコン９をリセットさせる。
【００３６】
図２に本発明の第１実施例の回路構成図を示す。同図中、図５と同一構成部分には同一符号を付し、その説明は省略する。
【００３７】
本実施例では、リセット回路１０１のリセット信号送出用トランジスタＱ１のベースとミュート回路５のミュート信号送出用トランジスタＱ２のコレクタとを抵抗Ｒ１、Ｒ２を介して接続し、また、ミュート回路５のコンデンサＣ６とマイコン電源生成回路７を構成する安定化電源回路１３の入力端子とをダイオードＤ１１を介して接続した構成とされている。
【００３８】
本実施例では、電源供給装置３から電源電圧が供給されると、トランジスタＱ２がオンして、トランジスタＱ２のコレクタにコレクタに電流が流れ、トランジスタＱ３をオンさせることにより、オーディオ信号にミュートがかかる。また、リセット信号送出用トランジスタＱ１がオンしてマイコン９がリセットされる。ダイオードＤ１１は、マイコン電源生成回路７を構成する安定化電源回路１３の入力端子の電圧降下を検出するために設けられている。マイコン電源生成回路７を構成する安定化電源回路１３の入力電圧が降下し、コンデンサＣ２の電圧がコンデンサＣ６の電圧よりも低くなると、ダイオードＤ１１に電流が流れる。
【００３９】
ダイオードＤ１１に電流が流れることによりトランジスタＱ２にベース電流が流れてトランジスタＱ２が恩師、これによりトランジスタＱ３もオンしてオーディオ信号にミュートがかかる。また、リセット信号が送出されてマイコン９にリセットがかかる。
【００４０】
上記第１実施例によれば、ミュート回路のミュート信号によってリセット回路を制御し、マイコンにリセットかけるので、比較的簡単な回路構成で、電源のオン／オフのいずれにおいてもオーディオ信号をミュートできるとともに、マイコンにリセットをかけることができる。
【００４１】
図３に本発明の第２実施例の回路構成図を示す。同図中、図２と同一構成部分には同一符号を付し、その説明は省略する。
【００４２】
本実施例の電子装置は、ミュート回路５のコンデンサＣ６とダイオードＤ１１との接続点に、駆動電源生成回路４の安定化電源回路１１の入力端子電圧を抵抗Ｒ１１、Ｒ１２により分圧した電圧をダイオードＤ１２を介して印加する構成とされている。本実施例によれば、駆動電源生成回路４の入力電圧降下によってもリセットをかけることもできる。
【００４３】
また、本実施例は、トランジスタＱ１のコレクタとリセット端子Ｔｒｅｓｅｔとの間にリセット信号の期間を調整（短く）するためのリセット時間制御回路１０２を設けてなる。
【００４４】
リセット時間調整回路１０２は、コンデンサＣ２１、抵抗Ｒ２１、ダイオードＤ２１から構成され、コンデンサＣ２１の充放電を抵抗Ｒ２１、ダイオードＤ２１により制御することによりリセット信号期間を制御する。
【００４５】
本実施例によれば、リセット信号の時間を短く設定できる。よって、マイコン９を素早くリセットすることができるので、電流の立ち上がりの時などミュート時間よりマイコン９を早く立ち上がらせることができる。
【００４６】
なお、上記第１及び第２実施例では、安定化電源回路の入力電圧を検出してミュート及びリセットをかけるようにしたが、図２、図３に破線で示すように安定化電源回路の出力電圧を検出してミュート及びリセットをかけるようにしてもよい。
【００４７】
また、本発明は、上記の実施例に限定されるものではなく、本発明の特許請求の範囲から逸脱することなく種々の変形例がなされるものである。
【００４８】
【発明の効果】
上述の如く、本発明によれば、ミュート回路による音声信号のミュートを検出し、音声信号のミュートを検出したとき、リセット信号を出力するため、リセット信号生成回路で電源の上昇、低下を検出する必要がないので、回路構成を簡単にできる等の特長を有する。
【００４９】
また、本発明によれば、リセット信号によりリセットされる回路に供給する電源を安定化する第１の電源安定化回路での電圧を検出し、第１の電源安定化回路の電圧が所定の電圧以下のときに、音声がミュートされ、リセット信号を出力することができるため、リセット信号によりリセットされる回路に供給する電源電圧によりリセットをかけることができる等の特長を有する。
【００５０】
さらに、本発明によれば、他の回路への駆動電源を安定化する第２の安定化電源回路での電圧を検出し、第２の電圧検出手段での電圧検出結果、第２の電源安定化回路の電圧が所定の電圧以下のときに、ミュート回路を制御し、音声信号をミュートし、その結果リセット信号を出力することにより、他の回路への駆動電圧の低下などによりリセットをかけることができる等の特長を有する。
【００５１】
また、本発明によれば、リセット信号によるリセット時間を制御することにより、マイコンなどに短時間にリセットをかけることができる等の特長を有する。
【図面の簡単な説明】
【図１】本発明の第１実施例のブロック構成図である。
【図２】本発明の第１実施例の回路構成図である。
【図３】本発明の第２実施例の回路構成図である。
【図４】従来の一例のブロック構成図である。
【図５】従来の一例の回路構成図である。
【図６】従来の他の一例の回路構成図である。
【符号の説明】
１００  電子装置
１０１  リセット回路
１０２  リセット時間制御回路
３  電源供給装置
４  駆動電源生成回路
５  ミュート回路
６  オーディオ回路
７  マイコン電源生成回路
９  マイコン
【図１】
0003601412.tif 000002
【図２】
0003601412.tif 000003
【図３】
0003601412.tif 000004
【図４】
0003601412.tif 000005
【図５】
0003601412.tif 000006
【図６】
0003601412.tif 000007